(57)【要約】【課題】ＰＯＩ情報を受信可能な施設情報表示装置において、より高い精度で、ＰＯＩの属する正確な都市名称を特定することができる。【解決手段】施設情報に含まれる郵便番号から都市名称を特定する第１の都市名称特定手段を備える。また、第１の都市名称特定手段で特定された都市名称が複数存在する場合は、施設情報に含まれる位置情報に基づいて都市名称を特定する第２の都市名称特定手段を備える。また、第１の都市名称特定手段で特定された都市名称の中から、前記第２の都市名称特定手段で特定された都市名称を選択する都市名称選択手段を備える。【選択図】図１
2010243184.tif 000002
【特許請求の範囲】
【請求項１】
郵便番号と、位置情報と、を含む施設情報を受信する施設情報受信手段と、
郵便番号と、都市名称と、を対応して記憶する都市名称情報記憶手段と、
都市名称と、ストリート・アドレスを対応して記憶するストリート・アドレス情報記憶手段と、
前記施設情報受信手段で受信した位置情報から、ストリート・アドレスを特定するストリート・アドレス特定手段と、
前記施設情報受信手段で受信した前記施設情報に含まれる郵便番号と、前記都市名称情報記憶手段で記憶している郵便番号と、から都市名称を特定する第１の都市名称特定手段と、
前記第１の都市名称特定手段で特定された都市名称が複数存在する場合は、
前記施設情報に含まれる位置情報に基づいて前記ストリート・アドレス特定手段でストリート・アドレスを特定し、特定されたストリート・アドレスに対応した都市名称を前記ストリート・アドレス情報記憶手段から特定する第２の都市名称特定手段と、
前記第１の都市名称特定手段で特定された都市名称の中から、前記第２の都市名称特定手段で特定された都市名称を選択する都市名称選択手段と、
から構成されることを特徴とする施設情報表示装置。
【請求項２】
請求項１に記載の施設情報表示装置において、
前記位置情報は、施設の緯度経度情報を含み、
前記第２の都市名称特定部は、
前記位置情報に含まれる施設の緯度経度情報に基づき、前記施設付近の道路の属する都市名称を、前記施設の属する都市名称として特定する
ことを特徴とする施設情報表示装置。
【請求項３】
コンピュータを施設情報表示装置として機能させるコンピュータプログラムであって、
郵便番号と、位置情報と、を含む施設情報を受信する施設情報受信手段と、
郵便番号と、都市名称と、を対応して記憶する都市名称情報記憶手段と、
都市名称と、ストリート・アドレスを対応して記憶するストリート・アドレス情報記憶手段と、
前記施設情報受信手段で受信した位置情報から、ストリート・アドレスを特定するストリート・アドレス特定手段と、
前記施設情報受信手段で受信した前記施設情報に含まれる郵便番号と、前記都市名称情報記憶手段で記憶している郵便番号と、から都市名称を特定する第１の都市名称特定手段と、
前記第１の都市名称特定手段で特定された都市名称が複数存在する場合は、
前記施設情報に含まれる位置情報に基づいて前記ストリート・アドレス特定手段でストリート・アドレスを特定し、特定されたストリート・アドレスに対応した都市名称を前記ストリート・アドレス情報記憶手段から特定する第２の都市名称特定手段と、
前記第１の都市名称特定手段で特定された都市名称の中から、前記第２の都市名称特定手段で特定された都市名称を選択する都市名称選択手段と、して前記コンピュータを機能させるコンピュータプログラム。
【請求項４】
請求項３に記載のコンピュータプログラムにおいて、
前記位置情報は、施設の緯度経度情報を含み、
前記第２の都市名称特定部に、
前記位置情報に含まれる施設の緯度経度情報に基づき、前記施設付近の道路の属する都市名称を、前記施設の属する都市名称として特定させるコンピュータプログラム。
【請求項５】
郵便番号と、位置情報と、を含む施設情報を受信する施設情報受信手段と、
郵便番号と、都市名称と、を対応して記憶する都市名称情報記憶手段と、
都市名称と、ストリート・アドレスを対応して記憶するストリート・アドレス情報記憶手段と、
前記施設情報受信手段で受信した位置情報から、ストリート・アドレスを特定するストリート・アドレス特定手段と、
前記施設情報受信手段で受信した前記施設情報に含まれる郵便番号と、前記都市名称情報記憶手段で記憶している郵便番号と、から都市名称を特定する第１の都市名称特定手段と、
前記第１の都市名称特定手段で特定された都市名称が複数存在する場合は、
前記施設情報に含まれる位置情報に基づいて前記ストリート・アドレス特定手段でストリート・アドレスを特定し、特定されたストリート・アドレスに対応した都市名称を前記ストリート・アドレス情報記憶手段から特定する第２の都市名称特定手段と、
前記第１の都市名称特定手段で特定された都市名称の中から、前記第２の都市名称特定手段で特定された都市名称を選択する都市名称選択手段と、
から構成されることを特徴とするナビゲーション装置。
【請求項６】
請求項５に記載の施設情報表示装置において、
前記位置情報は、施設の緯度経度情報を含み、
前記第２の都市名称特定部は、
前記位置情報に含まれる施設の緯度経度情報に基づき、前記施設付近の道路の属する都市名称を、前記施設の属する都市名称として特定する
ことを特徴とするナビゲーション装置。
【請求項７】
コンピュータをナビゲーション装置として機能させるコンピュータプログラムであって、
郵便番号と、位置情報と、を含む施設情報を受信する施設情報受信手段と、
郵便番号と、都市名称と、を対応して記憶する都市名称情報記憶手段と、
都市名称と、ストリート・アドレスを対応して記憶するストリート・アドレス情報記憶手段と、
前記施設情報受信手段で受信した位置情報から、ストリート・アドレスを特定するストリート・アドレス特定手段と、
前記施設情報受信手段で受信した前記施設情報に含まれる郵便番号と、前記都市名称情報記憶手段で記憶している郵便番号と、から都市名称を特定する第１の都市名称特定手段と、
前記第１の都市名称特定手段で特定された都市名称が複数存在する場合は、
前記施設情報に含まれる位置情報に基づいて前記ストリート・アドレス特定手段でストリート・アドレスを特定し、特定されたストリート・アドレスに対応した都市名称を前記ストリート・アドレス情報記憶手段から特定する第２の都市名称特定手段と、
前記第１の都市名称特定手段で特定された都市名称の中から、前記第２の都市名称特定手段で特定された都市名称を選択する都市名称選択手段と、して前記コンピュータを機能させるコンピュータプログラム。
【請求項８】
請求項７に記載のコンピュータプログラムにおいて、
前記位置情報は、施設の緯度経度情報を含み、
前記第２の都市名称特定部に、
前記位置情報に含まれる施設の緯度経度情報に基づき、前記施設付近の道路の属する都市名称を、前記施設の属する都市名称として特定させるコンピュータプログラム。
【発明の詳細な説明】
【技術分野】
【０００１】
本発明は、施設情報表示装置、ナビゲーション装置、およびそのコンピュータプログラムに関する。
【背景技術】
【０００２】
衛星ラジオ放送を受信可能なナビゲーション装置がある。こうした放送内容に含まれる衛星データには、「Ｐｏｉｎｔ  Ｏｆ  Ｉｎｔｅｒｅｓｔ」（以下「ＰＯＩ」という）、すなわち関心地点に関する「郵便番号（Ｚｉｐｃｏｄｅ）」や「電話番号」などの詳細情報が含まれている。ナビゲーション装置は、このような衛星データを受信し、ＰＯＩ情報として使用者に提供する。
【０００３】
一方で、衛星データのフォーマットには、「都市（Ｃｉｔｙ）名称」が規定されていない場合がある。このため、従来のナビゲーション装置では、郵便番号を用いて、ＰＯＩの属する都市を特定している。
【先行技術文献】
【特許文献】
【０００４】
【特許文献１】特開２００７−１５０７２６
【発明の概要】
【発明が解決しようとする課題】
【０００５】
しかしながら、１つの郵便番号に対して、複数の都市が割り当てられている場合がある。したがって、従来のナビゲーション装置では、郵便番号からＰＯＩの属する正確な都市名称を高い精度で特定することが難しいという問題がある。
【０００６】
また、同時に送られてくる衛星データには、ＰＯＩが位置する緯度経度の情報が含まれているが、この緯度経度の情報も誤差が多く、都市（Ｃｉｔｙ）名称が特定できないという問題がある。
【０００７】
そこで、本発明は、より高い精度で、ＰＯＩの属する正確な都市名称を特定することができるナビゲーション装置の提供を目的とする。
【課題を解決するための手段】
【０００８】
上記課題を解決するため、本発明に係る施設情報表示装置は、郵便番号と、位置情報と、を含む施設情報を受信する施設情報受信手段と、郵便番号と、都市名称と、を対応して記憶する都市名称情報記憶手段と、都市名称と、ストリート・アドレスを対応して記憶するストリート・アドレス情報記憶手段と、前記施設情報受信手段で受信した位置情報から、ストリート・アドレスを特定するストリート・アドレス特定手段と、前記施設情報受信手段で受信した前記施設情報に含まれる郵便番号と、前記都市名称情報記憶手段で記憶している郵便番号と、から都市名称を特定する第１の都市名称特定手段と、前記第１の都市名称特定手段で特定された都市名称が複数存在する場合は、前記施設情報に含まれる位置情報に基づいて前記ストリート・アドレス特定手段でストリート・アドレスを特定し、特定されたストリート・アドレスに対応した都市名称を前記ストリート・アドレス情報記憶手段から特定する第２の都市名称特定手段と、前記第１の都市名称特定手段で特定された都市名称の中から、前記第２の都市名称特定手段で特定された都市名称を選択する都市名称選択手段、という構成を特徴とする。
【発明の効果】
【０００９】
本発明によれば、より高い精度で、ＰＯＩの属する正確な都市名称を特定することができる。
【図面の簡単な説明】
【００１０】
【図１】本発明の一実施形態が適用された車載ナビゲーション装置の概略構成を示す図である。
【図２】本発明の一実施形態に用いられる郵便番号データおよびリンクデータの構成を示す図である。
【図３】本発明の一実施形態に用いられるストリート・アドレスデータの構成を示す図である。
【図４】本発明の一実施形態に用いられる衛星データの構成を示す図である。
【図５】本発明の一実施形態に係る車載ナビゲーション装置の機能構成を示す図である。
【図６】本発明の一実施形態に係る車載ナビゲーション装置の処理フローを示す図である。
【図７】本発明の他の一実施形態に係る車載ナビゲーション装置の処理フローを示す図である。
【発明を実施するための形態】
【００１１】
以下、本発明の一実施形態について図面を用いて説明する。
【００１２】
図１は、本発明が適用された車載用ナビゲーション装置１００の概略構成図である。図示するように、車載用ナビゲーション装置１００は、演算処理部１と、出力装置２と、記憶装置３と、音声入出力装置４（音声入力装置としてマイクロフォン４１、音声出力装置としてスピーカ４２）と、入力装置５と、ＲＯＭ装置６と、車速センサ７と、ジャイロセンサ８と、ＧＰＳ(Global Positioning System)受信装置９と、ＦＭ多重放送受信装置１０と、ビーコン受信装置１１と、衛星ラジオ受信装置１２と、を備えている。
【００１３】
演算処理部１は、様々な処理を行う中心的ユニットである。例えば各種センサ７、８やＧＰＳ受信装置９、ＦＭ多重放送受信装置１０、またはビーコン受信装置１１から出力される情報を基にして現在地を検出する。また、得られた現在地情報に基づいて、表示に必要な地図データを記憶装置３あるいはＲＯＭ装置６から読み出す。また、読み出した地図データをグラフィックス展開し、そこに現在地を示すマークを重ねて出力装置２へ表示する。また、記憶装置３あるいはＲＯＭ装置６に記憶されている地図データ等を用いて、ユーザから指示された出発地（現在地）と目的地とを結ぶ最適な経路（推奨経路）を探索する。また、スピーカ４２や出力装置２を用いてユーザを誘導する。
【００１４】
演算処理部１は、各デバイス間をバス２５で接続した構成である。演算処理部１は、数値演算及び各デバイスを制御するといった様々な処理を実行するＣＰＵ(Central Processing Unit)２１と、記憶装置３から読み出した地図データ、演算データなどを格納するＲＡＭ(Random Access Memory)２２と、プログラムやデータを格納するＲＯＭ(Read Only Memory)２３と、各種ハードウェアを演算処理部１に接続するインターフェイスであるＩ／Ｆ２４と、を有する。
【００１５】
出力装置２は、演算処理部１で生成されたグラフィックス情報を出力するユニットである。出力装置２は、液晶ディスプレイ、有機ＥＬディスプレイなどで構成される。
【００１６】
記憶装置３は、ＨＤＤ（Hard Disk Drive）や不揮発性メモリカードといった、少なくとも読み書きが可能な記憶媒体で構成される。このような記憶装置３には、通常の経路探索装置に必要な地図データや、地図上の道路を構成するリンクのリンクデータ１２０などに加え、例えばＰＯＩの属する「州」や「都市」に割り当てられる郵便番号データ１１０が記憶されている。
【００１７】
ここで、郵便番号データ１１０の構成を図２（ａ）に示す。郵便番号データ１１０には、通常、５桁から９桁で構成される郵便番号１１１と、これに対応付けられた州や都市の名称１１２が格納されている。なお、各都市１１２に対して、必ずしも１つの郵便番号１１１が割り当てられているわけではない。すなわち、１つの郵便番号１１１に対して、複数の都市１１２が割り当てられている場合もある。
【００１８】
また、リンクデータ１２０を構成する種々のステータスの一例を図２（ｂ）に示す。リンクデータ１２０には、地図上の区画された領域であるメッシュ領域ごとに、そのメッシュ領域に含まれているリンクのデータが格納されている。すなわち、リンクデータ１２０には、リンクを識別するリンクＩＤ、リンクの開始および終了位置を座標で特定する開始ノードおよび終了ノード、リンクの属する道路の種別、リンクの長さを示すリンク長、リンクの属するストリート・アドレス１２１などが格納されている。
【００１９】
また、図３に示すように、記憶装置３には、ストリート・アドレス１２１に対応する地域識別コード１３２および州・都市名称１３３が格納されたストリート・アドレスデータ１３０が記憶されている。
【００２０】
また、地図データには、地図の描画用のデータが格納されている（図示しない）。このような地図データには、例えば、地図上の道路を構成するリンクデータ１２０や、地図上に配置されている建物や公園などの施設に関するデータなどが格納されている。
【００２１】
再び、図１に戻って説明する。音声入出力装置４は、音声入力装置としてマイクロフォン４１と、音声出力装置としてスピーカ４２と、を備える。マイクロフォン４１は、使用者やその他の搭乗者が発した声などの車載用ナビゲーション装置１００の外部の音声を取得する。
【００２２】
スピーカ４２は、演算処理部１で生成された使用者へのメッセージを音声信号として出力する。マイクロフォン４１とスピーカ４２は、車両の所定の部位に、別個に配されている。ただし、一体の筐体に収納されていても良い。車載用ナビゲーション装置１００は、マイクロフォン４１及びスピーカ４２を、それぞれ複数備えることができる。
【００２３】
入力装置５は、使用者からの指示を使用者による操作を介して受け付ける装置である。入力装置５は、タッチパネル５１と、ダイヤルスイッチ５２と、その他のハードスイッチ（図示しない）であるスクロールキー、縮尺変更キーなどで構成される。
【００２４】
タッチパネル５１は、出力装置２の表示面側に搭載され、表示画面を透視可能である。タッチパネル５１は、例えば、人の指によるタッチを検知する。使用者によるタッチ位置は、例えば、タッチパネル上に設定されるＸＹ座標に基づき特定される。このようなタッチパネル５１は、例えば、静電容量方式による入力検出素子などで構成される。
【００２５】
ダイヤルスイッチ５２は、時計回り及び反時計回りに回転可能に構成され、所定の角度の回転ごとにパルス信号を発生し、演算処理部１に出力する。演算処理部１では、パルス信号の数から、回転角度を求める。
【００２６】
ＲＯＭ装置６は、ＣＤ-ＲＯＭやＤＶＤなどのＲＯＭ（Read Only Memory）やＩＣ（Integrated Circuit）カードといった、少なくとも読み取りが可能な記憶媒体で構成されている。この記憶媒体には、例えば、動画データや、音声データなどが記憶されている。
【００２７】
車速センサ７,ジャイロセンサ８およびＧＰＳ受信装置９は、車載用ナビゲーション装置１００において現在地（自車位置）を検出するために使用されるものである。
【００２８】
車速センサ７は、車速を算出するのに用いる値を出力するセンサである。ジャイロセンサ８は、光ファイバジャイロや振動ジャイロ等で構成され、移動体の回転による角速度を検出するものである。ＧＰＳ受信装置９は、ＧＰＳ衛星からの信号を受信し移動体とＧＰＳ衛星間の距離と距離の変化率を３個以上の衛星に対して測定することで移動体の現在位置、進行速度および進行方位を測定し、演算処理部１に送信するものである。
【００２９】
ＦＭ多重放送受信装置１０は、ＦＭ多重放送局から送られてくるＦＭ多重放送信号を受信する。ＦＭ多重放送には、ＶＩＣＳ（Vehicle Information Communication System：登録商標）情報の概略現況交通情報、規制情報、ＳＡ／ＰＡ（サービスエリア／パーキングエリア）情報、駐車場情報、天気情報などや、ＦＭ多重一般情報としてラジオ局が提供する文字情報などがある。
【００３０】
衛星ラジオ受信装置１２は、衛星ラジオ配信サービスを提供する放送局から送られてくる衛星ラジオを受信する。衛星ラジオには、例えば、音声情報や文字情報などの衛星データが含まれている。また、このような衛星データには、ＰＯＩに関する複数のＰＯＩ情報が含まれている。
【００３１】
衛星データを構成する種々のステータスの一例を図４に示す。衛星データ１４０には、ＰＯＩの名称１４１と、ＰＯＩの属する都市に割り当てられた郵便番号１４２と、家番号（ＨｏｕｓｅＮｏ）１４３と、ストリート名称１４４と、電話番号１４５と、緯度経度情報１４６と、ガソリンスタンドや映画館などのＰＯＩのカテゴリ（又は詳細情報）１４７とがＰＯＩ情報として対応付けられて格納されている。
【００３２】
再び、図１に戻って説明する。ビーコン受信装置１１は、光ビーコン、電波ビーコン等の信号を受信する。ビーコン等の信号には、ＶＩＣＳ情報の概略現況交通情報、規制情報、ＳＡ／ＰＡ（サービスエリア／パーキングエリア）情報、駐車場情報などがある。
【００３３】
以上、本実施形態に係るナビゲーション装置１００の概略構成について説明した。
【００３４】
次に、本実施形態に係る演算処理部１の機能構成について説明する。図５は、かかる演算処理部１の機能ブロック図である。
【００３５】
図示するように、演算処理部１は、主制御部２０１と、入力受付部２０２と、出力処理部２０３と、都市名称特定部２０４と、ＰＯＩ情報取得部２０５と、ＰＯＩ情報登録部２０６と、を有する。
【００３６】
主制御部２０１は、様々な処理を行う中心的な機能部であり、処理内容に応じて、他の処理部を制御する。また、主制御部２０１は、車載用ナビゲーション装置１００の基本動作であるナビゲーション処理（例えば、交通情報の表示、現在位置の表示、経路探索、経路誘導等）を実施する。
【００３７】
入力受付部２０２は、マイクロフォン４１、タッチパネル５１およびダイヤルスイッチ５２を介して、使用者からの指示入力を受け付け、これを各処理部に受け渡す機能部である。
【００３８】
出力処理部２０３は、画面出力を出力装置２に表示させる機能部である。出力処理部２０３は、出力装置２への表示が要求される画面データと、表示候補とを受け取り、指定された描画方式で、道路、その他の地図構成物や、現在地、目的地、推奨経路、メッセージ情報のためのダイアログなどを描画するように画面描画コマンドを生成する。そして、出力処理部２０３は、生成したコマンドを、出力装置２に送信する。
【００３９】
都市名称特定部２０４は、ＰＯＩの属する都市を特定する機能部である。都市名称特定部２０４は、衛星データ１４０に含まれるＰＯＩ情報に基づいて、ＰＯＩの属する都市名称を特定する。なお、都市名称特定部２０４は後述するＰＯＩ情報取得部２０５およびＰＯＩ情報登録部２０６を有する。都市名称特定部２０４は、ＰＯＩ情報取得部２０５が衛星データ１４０から抽出したＰＯＩ情報を用いて都市名称を特定し、ＰＯＩ情報登録部２０６を通じて、都市名称を記憶装置３に記憶する。
【００４０】
ＰＯＩ情報取得部２０５は、衛星データ１４０からＰＯＩ情報を取得する機能部である。ＰＯＩ情報取得部２０５は、受信した衛星データ１４０から、ＰＯＩの名称１４１、郵便番号１４２、家番号１４３、ストリート名称１４４、電話番号１４５、緯度経度情報１４６、ＰＯＩのカテゴリ１４７などの各ステータスを抽出する。そして、ＰＯＩ情報取得部２０５は、これらのステータスを都市名称特定部２０４およびＰＯＩ情報登録部２０６に引き渡す。
【００４１】
ＰＯＩ情報登録部２０６は、ＰＯＩ情報に含まれる各ステータスを、ＰＯＩの詳細情報として登録する機能部である。具体的には、ＰＯＩ情報登録部２０６は、ＰＯＩ情報取得部２０５からＰＯＩ情報の各ステータスを受け取り、記憶装置３に記憶する。また、ＰＯＩ情報登録部２０６は、都市名称特定部２０４が特定したＰＯＩの都市名称を受け取り、ＰＯＩの詳細情報に付加して記憶装置３に記憶する。なお、特定された都市名称および各ステータスは、ＰＯＩの詳細表示に利用される。
【００４２】
上記の各機能部は、ＣＰＵ２１が読み込んだ所定のプログラムを実行することにより構築される。そのため、記憶装置３（メモリ）には、各機能部の処理を実現するためのプログラムが記憶されている。
【００４３】
なお、上記した各構成要素は、本実施形態に係るナビゲーション装置１００の構成を理解容易にするために、主な処理内容に応じて分類したものである。また、構成要素の分類の仕方やその名称によって、本願発明が制限されることはない。本実施形態に係るナビゲーション装置１００の構成は、処理内容に応じて、さらに多くの構成要素に分類することもできる。また、１つの構成要素がさらに多くの処理を実行するように分類することもできる。
【００４４】
また、各機能部は、ハードウェア（ＡＳＩＣなど）により構築されてもよい。また、各機能部の処理が一つのハードウェアで実行されてもよいし、複数のハードウェアで実行されてもよい。
【００４５】
次に、都市名称特定部２０４、ＰＯＩ情報取得部２０５、ＰＯＩ情報登録部２０６で実行される都市名称を特定する処理について説明する。図６は、衛星データ１４０に基づいて、都市名称を特定する際の処理の流れを示したフロー図である。
【００４６】
都市名称特定部２０４は、衛星データ１４０の受信モードにおいて、本フローを開始する。まず、ＰＯＩ情報取得部２０５は、衛星データ１４０を受信すると、衛星データ１４０中のＰＯＩ情報を抽出する（Ｓ１００）。具体的には、ＰＯＩ情報取得部２０５は、衛星データ１４０からＰＯＩの名称１４１、郵便番号１４２、家番号１４３、ストリート名称１４４、電話番号１４５、緯度経度情報１４６、ＰＯＩのカテゴリ１４７などの各ステータスを抽出する。そして、抽出したステータスのうち、郵便番号１４２を都市名称特定部２０４に引き渡す。
【００４７】
次に、都市名称特定部２０４は、受け取った郵便番号１４２に基づいて、該当する都市名称を検索する（Ｓ１０１）。具体的には、都市名称特定部２０４は、記憶装置３内の郵便番号データ１１０を参照し、衛星データ１４０から取得した郵便番号１４２に対応する都市名称を検索する。
【００４８】
次に、都市名称特定部２０４は、検索の結果、複数の都市名称がヒットしたか否かを判定する（Ｓ１０２）。そして、ヒットした都市名称が１つの場合には（Ｓ１０２でＮｏ）、都市名称特定部２０４は、かかる都市名称を、ＰＯＩの属する都市名称に決定し（Ｓ１０３）、Ｓ１０８の処理に移行する。
【００４９】
一方で、複数の都市名称がヒットした場合には、都市名称特定部２０４は、ＰＯＩ情報取得部２０５から、ＰＯＩの緯度経度情報１４６を取得する（Ｓ１０４）。そして、都市名称特定部２０４は、衛星データ１４０に含まれる緯度経度情報１４６を用いて、地図画像上のＰＯＩの地点座標を算出する（Ｓ１０５）。具体的には、都市名称特定部２０４は、ＰＯＩの緯度経度を変換し、ＸＹ座標で特定される地図データ上のＰＯＩの地点座標を算出する。
【００５０】
次に、都市名称特定部２０４は、算出したＰＯＩの地点座標付近のリンク（道路）を特定する（Ｓ１０６）。具体的には、都市名称特定部２０４は、算出した地点座標およびリンクデータ１２０に基づき、ＰＯＩの最も近くにあるリンクを特定する。そして、都市名称特定部２０４は、特定したリンクのリンクデータ１２０からストリート・アドレス１２１を抽出し、かかるストリート・アドレス１２１に対応する都市名称をストリート・アドレスデータ１３０から特定する（Ｓ１０７）。そして、都市名称特定部２０４は、特定した都市名称をＰＯＩ情報登録部２０６に引き渡し、Ｓ１０８に処理を移行する。
【００５１】
Ｓ１０８では、ＰＯＩ情報登録部２０６は、受け取った都市名称をＰＯＩの詳細情報に登録する。具体的には、ＰＯＩ情報登録部２０６は、特定された都市名称を、ＰＯＩの詳細情報に付加し、記憶装置３に記憶する。
【００５２】
以上、本実施形態の第一実施形態について説明した。
【００５３】
本実施形態によれば、郵便番号に複数の都市名称が割り当てられている場合でも、より高い精度で、ＰＯＩの属する正確な都市名称を特定することができる。
【００５４】
次に、本発明の第二実施形態について説明する。なお、ナビゲーション装置１００の概略構成（図１）、記憶装置３内の各種データ（図２、図３）、各機能部の構成（図４）は、前述の第一実施形態と同様であるため、その説明を省略する。すなわち、第二実施形態は、都市名称特定部２０４で実行される処理フローの一部のみが第一実施形態と異なる。したがって、かかる処理フローの異なる部分についてのみ説明する。
【００５５】
図６は、第二実施形態で実行される都市名称特定部２０４の処理フローを示した図である。なお、Ｓ１００〜Ｓ１０８までのステップは、前述の第一実施形態と同様であるため、その説明を省略する。
【００５６】
都市名称特定部２０４は、郵便番号１４２により都市名称を検索した結果、複数の都市名称がヒットした場合（Ｓ１０２でＹｅｓ）、上記のＳ１０５〜Ｓ１０７の処理を実行する。そして、都市名称特定部２０４は、郵便番号１４２による検索によりヒットした複数の都市名称と、緯度経度情報１４６に基づき特定した都市名称とが一致するか否かを判定する（Ｓ１０９）。判定の結果、緯度経度情報１４６から特定した都市名称が、郵便番号１４２の検索によりヒットした複数の都市名称の中に存在しない場合（Ｓ１０９でＮｏ）、都市名称特定部２０４は、ＰＯＩの都市名称を登録せずに処理を終了する（Ｓ１１０）。すなわち、記憶装置３には、都市名称が付加されていない状態のＰＯＩの詳細情報が記憶されることとなる。
【００５７】
一方で、緯度経度情報１４６から特定した都市名称が、郵便番号１４２の検索によりヒットした複数の都市名称の中に存在する場合（Ｓ１０９でＹｅｓ）、都市名称特定部２０４は、一致した都市名称をＰＯＩ情報登録部２０６に引き渡し、Ｓ１１１に処理を移行する。
【００５８】
次に、ＰＯＩ情報登録部２０６は、受け取った都市名称をＰＯＩの詳細情報に登録する（Ｓ１１１）。具体的には、ＰＯＩ情報登録部２０６は、特定された都市名称を、ＰＯＩの詳細情報に付加し、記憶装置３に記憶する。
【００５９】
以上、本実施形態の第二実施形態について説明した。
【００６０】
本実施形態によれば、郵便番号に複数の都市名称が割り当てられている場合でも、より高い精度で、ＰＯＩの属する正確な都市名称を特定することができる。
【００６１】
また、衛星データに含まれる緯度経度情報は誤差を含んでいる場合が多い。このような場合でも、本実施形態によれば、郵便番号により特定した複数の都市名称と、緯度経度情報により特定した都市名称とを比較して、両者の間で一致した都市名称をＰＯＩの都市名称として特定するため、郵便番号も含めて、より高い精度で、ＰＯＩの属する正確な都市名称を特定することができる。
【００６２】
また、都市名称を１つに特定できない場合には、ＰＯＩの詳細情報に都市名称が登録されないため、精度の低い情報の提供を防止することができる。
【００６３】
なお、第一および第二実施形態では、ナビゲーション装置が衛星データを受信し、ＰＯＩの属する都市を特定した。しかしながら、本発明はこれらの実施形態に限られるものではない。第一および第二実施形態の第１変形例では、ナビゲーション装置とは異なる場所に設置されたシステムサーバが衛星データを受信し、ＰＯＩの都市を特定するようにしてもよい。すなわち、ナビゲーション装置１００における都市名称特定部２０４、ＰＯＩ情報取得部２０５、ＰＯＩ情報登録部２０６の働きをシステムサーバが実行し、ＰＯＩの詳細情報のみをナビゲーション装置に送信するようにする。
【００６４】
具体的には、前述の実施形態と同様に、システムサーバが衛星データを受信し、ＰＯＩの衛星データ１４０の各種ステータスを抽出する。そして、システムサーバは郵便番号１４２に基づきＰＯＩの属する都市を特定する。一方で、１つの郵便番号に割り当てられている都市が複数ある場合には、システムサーバは、ＰＯＩの緯度経度情報１４６に基づいて、ＰＯＩの都市名称を特定する。
【００６５】
また、前述の第二実施形態のように、郵便番号に基づく都市名称の検索でヒットした都市名称の中に、緯度経度情報から特定した都市名称が存在するか否かを判定するようにしてもよい。
【００６６】
そして、システムサーバは、特定した都市名称を付加したＰＯＩの詳細情報をナビゲーション装置に送信する。なお、送信方法は、有線、無線の別を問わない。
【００６７】
このように、第一および第二実施形態の第１変形例によっても、より高い精度で、ＰＯＩの属する正確な都市名称を取得することができる。加えて、システムサーバで演算処理が実行されることから、ナビゲーション装置で演算処理を実行する場合に比べて、その負担を軽減することができる。
【００６８】
また、第一および第二実施形態では、都市名称特定部２０４は、緯度経度情報１４６からＰＯＩの地点座標を算出し、かかる地点座標付近にあるリンクのストリート・アドレス１２１から都市名称を特定した。しかしながら、本発明は本実施形態に限られるものではない。第一および第二実施形態の第２変形例では、都市名称特定部２０４は、緯度経度情報１４６から算出されるＰＯＩの地点座標を含むエリア情報に基づき都市名称を特定する。
【００６９】
具体的には、地図データ上の所定の範囲内にある地点座標を含むエリア情報と、地点座標によって所定の範囲（エリア）を特定する情報と、各エリア情報に対応する州・都市名称情報と、が記憶装置３に記憶されている。そして、都市名称特定部２０４は、緯度経度情報１４６に基づきＰＯＩの地点座標を算出し、かかる地点座標を含むエリア情報に対応する都市をＰＯＩの都市名称として特定する。
【００７０】
また、前述の第二実施形態のように、郵便番号に基づく都市名称の検索でヒットした都市名称の中に、緯度経度情報から特定した都市名称が存在するか否かを判定するようにしてもよい。
【００７１】
また、第１変形例と同様に、ナビゲーション装置とは異なる場所に設置されたシステムサーバが衛星データを受信し、前述の処理を実行してもよい。
【００７２】
このように、第一および第二実施形態の第２変形例によっても、より高い精度で、ＰＯＩの属する正確な都市名称を取得することができる。
【符号の説明】
【００７３】
１００・・・車載ナビゲーション装置、
１・・・演算処理部、２・・・出力装置、３・・・記憶装置、４・・・音声入出力装置
５・・・入力装置、６・・・ＲＯＭ装置、７・・・車速センサ、８・・・ジャイロセンサ
９・・・ＧＰＳ受信装置、１０・・・ＦＭ多重放送受信装置、１１・・・ビーコン受信装置、１２・・・衛星ラジオ受信装置、５１・・・タッチパネル
【図１】
2010243184.tif 000003
【図２】
2010243184.tif 000004
【図３】
2010243184.tif 000005
【図４】
2010243184.tif 000006
【図５】
2010243184.tif 000007
【図６】
2010243184.tif 000008
【図７】
2010243184.tif 000009